(57)【要約】【課題】ＨＤＭＩインターフェースを用いて複数チャンネルの映像信号を伝送する場合、複数のコネクタ及びケーブルを用いるか、高価なタイプＢのコネクタ及びケーブルを用いる他なく、更に２チャンネルを超える映像信号を伝送することは困難であった。【解決手段】ＴＭＤＳ混合回路１１０及びＴＭＤＳ分離回路３１０を設けることにより、複数チャンネルの映像信号のＴＭＤＳデータを映像信号の伝送レートより高い周波数で時分割伝送する。これにより、複数チャンネルの映像信号を安価なタイプＡのコネクタ１１１，３１１及びケーブル２０１で伝送させることができる。【選択図】図１
2009100412.tif 000002
【特許請求の範囲】
【請求項１】
ＨＤＭＩのようなベースバンド伝送を行うデジタルインターフェースを備えた映像伝送装置であって、
送信する映像信号処理ごとにＴＭＤＳ変換回路と、それぞれの前記ＴＭＤＳ変換回路から出力されるＴＭＤＳ信号を時間多重するＴＭＤＳ混合回路とを備えた映像送信装置と、
前記ＴＭＤＳ混合回路によって複数のＴＭＤＳ信号が時間多重されたＴＭＤＳ信号を分離するＴＭＤＳ分離回路と、分離されたＴＭＤＳ信号をそれぞれ映像信号に変換するＴＭＤＳ変換回路とを備えた映像受信装置とを有し、
伝送する映像信号の解像度より高い解像度のピクセルクロック周波数を活用して、複数の映像信号を伝送することを特徴とする映像伝送装置。
【請求項２】
請求項１記載の映像伝送装置において、
前記ＴＭＤＳ混合回路は、複数映像のＴＭＤＳ信号をフレーム単位で時間多重し、前記映像信号の解像度より高い解像度の１フレームとして構成することを特徴とする映像伝送装置。
【請求項３】
請求項１記載の映像伝送装置において、
前記ＴＭＤＳ混合回路は、複数映像のＴＭＤＳ信号をライン単位で時間多重し、前記映像信号の解像度より高い解像度の１フレームとして構成することを特徴とする映像伝送装置。
【請求項４】
請求項２記載の映像伝送装置において、
前記ＴＭＤＳ分離回路は、前記ＴＭＤＳ混合回路によって複数のＴＭＤＳ信号が時間多重されたＴＭＤＳ信号からフレームの先頭情報を検出し、多重された各ＴＭＤＳ信号をフレーム単位で分離することを特徴とする映像伝送装置。
【請求項５】
請求項３記載の映像伝送装置において、
前記ＴＭＤＳ分離回路は、前記ＴＭＤＳ混合回路によって複数のＴＭＤＳ信号が時間多重されたＴＭＤＳ信号からフレームの先頭情報を検出し、多重された各ＴＭＤＳ信号をライン単位で分離することを特徴とする映像伝送装置。
【請求項６】
請求項１記載の映像伝送装置において、
ブランキング期間中に伝送する規定されたパケットの拡張予約領域を用いて、多重された映像信号の数、多重された映像信号のピクセルクロック周波数を通知することを特徴とする映像伝送装置。
【発明の詳細な説明】
【技術分野】
【０００１】
本発明は、テレビ受像機などの受信装置にデジタル映像信号を複数チャネル送信する映像伝送装置に関するものである。
【背景技術】
【０００２】
近年、ＤＶＤの普及やデジタルテレビ放送の開始に伴って、デジタル映像信号を取り扱う機器が普及している。
【０００３】
映像信号を送信する送信機器（ＤＶＤレコーダ／プレーヤやデジタルＡＶチューナなど）と映像信号を受信する受信機器（デジタルテレビなど）とを接続するインターフェース規格としてＨＤＭＩ（High Definition Multimedia Interface）がある。ＨＤＭＩは、ベースバンドのデジタル映像信号を受信装置に伝送するためのインターフェース仕様であり、パソコンで広く使われているＤＶＩ（Digital Visual Interface）と互換性を保ちつつ、民生機器への搭載を想定している。送信機器と受信機器とを接続する１本のＨＤＭＩケーブルは、ベースバンド（非圧縮）の映像データと音声データとを伝送する。
【０００４】
また、近年のデジタルテレビなどの表示装置は、ピクチャ・イン・ピクチャなどの機能により、２画面以上同時表示できるものが多く、その利用範囲も大きい。しかしながら、ＨＤＭＩは、基本的に映像データを１チャンネルしか伝送できず、２チャンネルの映像データを同時伝送しようとする場合、２本のＨＤＭＩケーブルを用いて２系統の信号処理経路を設ける必要がある。この場合、ＨＤＭＩケーブル及びＨＤＭＩコネクタを２対準備する必要があり、非常に高いコストのシステムとなってしまう。
【０００５】
これに対して、１本のケーブルを用いて２チャンネルの同時伝送を実現する方法もＨＤＭＩ規格で準備されている。ただし、ＴＭＤＳ差動信号を２チャンネル伝送できる端子数が備えられたタイプＢのＨＤＭＩコネクタを必要とする。
【０００６】
しかしながら、現在市場に普及しているＨＤＭＩコネクタ及びＨＤＭＩケーブルはＴＭＤＳ差動信号を１チャンネル伝送できる端子数しか備えていないタイプＡであり、１００％と言っても過言ではないくらいの市場割合を占める。２チャンネル同時伝送が可能なタイプＢのＨＤＭＩコネクタ及びＨＤＭＩケーブルは、市場では皆無に等しく、販売されたとしても、非常に高価になることが予想される。
【０００７】
一方、１チャンネルの非圧縮映像信号のブランキング期間に他の１チャンネルの圧縮映像信号をパケット化して多重伝送することにより、２チャンネル映像信号の同時伝送を行う技術が知られている（特許文献１参照）。
【特許文献１】特開２００７−６２９８号公報
【発明の開示】
【発明が解決しようとする課題】
【０００８】
上記のとおり、市場に普及していないタイプＢのＨＤＭＩコネクタ及びＨＤＭＩケーブルを用いるのは、現実的ではない。更に、２チャンネルを超える複数チャンネルを伝送することができないという問題が発生する。
【０００９】
また、１チャンネルの非圧縮映像信号のブランキング期間に他の１チャンネルの圧縮映像信号をパケット化して多重伝送する技術は、映像の圧縮／伸長回路を備えていないシステムの場合、当該圧縮／伸長回路を追加で備える必要があり高価となる。更に、２チャンネルを超える複数チャンネルの伝送は、ブランキング期間の制限により困難である。
【課題を解決するための手段】
【００１０】
この問題を解決するために、本発明は、ＨＤＭＩのようなベースバンド伝送を行うデジタルインターフェースを備えた映像伝送装置であって、次のような映像送信装置と映像受信装置とを備え、伝送する映像信号の解像度より高い解像度のピクセルクロック周波数を活用して、複数の映像信号を伝送することを特徴とするものである。ここに、映像送信装置は、送信する映像信号処理ごとにＴＭＤＳ変換回路と、それぞれのＴＭＤＳ変換回路から出力されるＴＭＤＳ信号を時間多重するＴＭＤＳ混合回路とを備える。映像受信装置は、前記ＴＭＤＳ混合回路によって複数のＴＭＤＳ信号が時間多重されたＴＭＤＳ信号を分離するＴＭＤＳ分離回路と、分離されたＴＭＤＳ信号をそれぞれ映像信号に変換するＴＭＤＳ変換回路とを備える。
【発明の効果】
【００１１】
本発明は、ＤＶＤレコーダなどの映像送信装置から、複数チャンネルの映像信号を同時に伝送し、デジタルテレビなどの映像受信装置に複数画面同時表示を可能とする。更に、普及率の高い安価なタイプＡのＨＤＭＩコネクタ及びＨＭＤＩケーブルを使用して複数チャンネルの映像信号を同時に伝送できる。
【発明を実施するための最良の形態】
【００１２】
以下、図面を参照して本発明の実施の形態を詳細に説明するが、これによって本発明の技術的範囲が制限されるものではない。
【００１３】
図１は、本発明に係る映像伝送装置の構成例を示すブロック図である。図１の映像伝送装置は、映像送信装置（ＤＶＤレコーダ）１００と映像受信装置（ＤＴＶ、すなわちデジタルテレビ）３００とをタイプＡのＨＤＭＩケーブル２０１により接続した装置であって、表示パネル３０１への２画面同時表示を可能とすべく、２チャンネルの映像データを２倍の周波数のＴＭＤＳ差動信号に変換して１チャンネル分のＴＭＤＳ伝送端子数で伝送できることを特徴とする。
【００１４】
映像送信装置１００は、放送波の受信処理を行うＴＶチューナ１０１と、当該ＴＶチューナ１０１で受信した圧縮映像信号の伸長処理などを司るＴＶ信号処理ＬＳＩ１０２と、ＤＶＤやＨＤＤ、ＢＤなどのディスクを再生するディスク再生装置１０４と、当該ディスク再生装置１０４で再生した圧縮映像信号の伸長処理などを司るディスク信号処理ＬＳＩ１０３と、ＨＤＭＩ送信ＬＳＩ１０５と、タイプＡのＨＤＭＩコネクタ１１１とを備える。ＨＤＭＩ送信ＬＳＩ１０５は、ＴＶ信号処理ＬＳＩ１０２から出力される非圧縮映像信号に音声信号や付加情報を合わせてＴＭＤＳ差動信号に変換するＴＭＤＳ変換回路１０６と、ディスク信号処理ＬＳＩ１０３から出力される非圧縮映像信号に音声信号や付加情報を合わせてＴＭＤＳ差動信号に変換するＴＭＤＳ変換回路１０８と、両ＴＭＤＳ変換回路１０６，１０８のそれぞれから出力されるＴＭＤＳ差動信号を混合し、当該ＴＭＤＳ信号の周波数より高い周波数のＴＭＤＳ差動信号に変換するＴＭＤＳ混合回路１１０とを有する。
【００１５】
映像受信装置３００は、タイプＡのＨＤＭＩコネクタ３１１と、ＨＤＭＩ受信ＬＳＩ３０３と、２つの映像信号の選択や混合、表示パネルサイズへのスケール調整などを司る映像信号処理ＬＳＩ３０２と、表示パネル３０１とを備える。ＨＤＭＩ受信ＬＳＩ３０３は、ＴＭＤＳ混合回路１１０によって混合されたＴＭＤＳ差動信号を分離し、元映像信号の周波数のＴＭＤＳ差動信号に変換するＴＭＤＳ分離回路３１０と、それぞれのＴＭＤＳ差動信号を映像信号に変換するＴＭＤＳ変換回路３０４，３０６とを有する。
【００１６】
図２は、１０８０ｉ／６０Ｈｚの映像フォーマットを本発明において２チャンネル同時伝送する場合を例にしたＴＭＤＳ差動信号における映像信号伝送フォーマットを示す。基本的には１フレーム分の伝送データ内に２チャンネルのフレームを組み込まれ、１０８０ｐ／６０Ｈｚのデータ伝送周波数である１４８．５ＭＨｚ（ＴＭＤＳ変換後の周波数は１０倍になるが、以下便宜上全ての周波数表記はＴＭＤＳ変換前の周波数値で記載する）を用いて、１０８０ｉ／６０Ｈｚの伝送データ（１０８０ｐ／６０Ｈｚの半分のデータ伝送周波数である７４．２５ＭＨｚで伝送可能なデータ量）を２チャンネル分伝送するものである。片方の１０８０ｉ映像信号チャンネルのブランキング信号４００と映像信号４０１は１フレームの前半に伝送され、他方の１０８０ｉ映像信号チャンネルのブランキング信号５００と映像信号５０１は、１フレームの後半に伝送される。また別の例として、４８０ｐ／６０Ｈｚ（データ伝送周波数は２７．０２７ＭＨｚ）の映像信号を１０８０ｐ／６０Ｈｚのデータ伝送周波数（１４８．５ＭＨｚ）を用いて複数チャンネル伝送する場合は、５チャンネル分の映像信号を伝送できることになる。ＨＤＭＩ規格では、１０８０ｐ／６０Ｈｚのディープカラー１６ビット伝送まで定義されており、この場合のデータ伝送周波数である２９７ＭＨｚまで使用できることになる。
【００１７】
図３は、図１における本発明のポイントであるＴＭＤＳ混合回路１１０及びＴＭＤＳ分離回路３１０の詳細を示したものである。ＴＭＤＳ混合回路１１０は、ＴＭＤＳ変換回路１０６から入力される映像信号を１フレーム以上蓄えることのできるフレームメモリ１２０と、他のＴＭＤＳ変換回路１０８から入力される映像信号を１フレーム以上蓄えることのできるフレームメモリ１２１と、２つのフレームメモリから１フレームずつ交互にＴＭＤＳ信号を読み出してコネクタ側へ出力するＴＭＤＳ出力ブロック１２２とを備える。図２で示した例で説明すると、ＴＭＤＳ変換回路１０６及び１０８から、それぞれフレームメモリ１２０及び１２１は、７４．２５ＭＨｚの伝送レートでＴＭＤＳデータが入力される。ＴＭＤＳ出力ブロック１２２は、フレームメモリ１２０より１４８．５ＭＨｚの伝送レートでＴＭＤＳデータを読み出しながらコネクタ側へ出力し、フレームメモリ１２０から１フレーム分のデータを読み終えると、次にフレームメモリ１２１から同様に１４８．５ＭＨｚの伝送レートでＴＭＤＳデータを読み出しながらコネクタ側へ出力する。
【００１８】
また、ＴＭＤＳ分離回路３１０は、コネクタ側から入力されたＴＭＤＳ信号を２つのフレームメモリへ１フレームずつ交互に書き込むＴＭＤＳ入力ブロック３２２と、ＴＭＤＳ入力ブロック３２２から入力される映像信号を１フレーム以上蓄えることのできるフレームメモリ３２０と、ＴＭＤＳ入力ブロック３２２から入力される他の映像信号を１フレーム以上蓄えることのできるフレームメモリ３２１とを備える。図２で示した例で説明すると、２チャンネル分の映像信号を有するＴＭＤＳデータ（１４８．５ＭＨｚの伝送レート）がコネクタ側からＴＭＤＳ入力ブロック３２２へ入力されると、ＴＭＤＳ入力ブロック３２２はフレームの先頭データを検出し、フレームメモリ３２０へ１フレーム分のデータを書き込む。続けて、次の１フレーム分のデータをフレームメモリ３２１へ書き込む。ＴＭＤＳ変換回路３０４及び３０６は、それぞれフレームメモリ３２０及び３２１から７４．２５ＭＨｚの伝送レートでＴＭＤＳデータを読み出す。
【００１９】
２チャンネルを超える映像データを同時伝送する場合に関しては、ＴＭＤＳ変換回路及びフレームメモリを複数備え、ＴＭＤＳ出力ブロック及びＴＭＤＳ入力ブロックへの入出力経路を増やすことにより実現できる。
【００２０】
また、本実施形態では、映像信号をフレーム単位で時分割多重する例で説明しているが、この場合、フレームメモリのサイズが大きくなることにより、コストが上がることが懸念される。そこで、フレーム単位でなく、ライン単位の時分割多重方式をとることも可能である。この場合、メモリサイズは１ライン以上蓄えることができれば十分であるので、安価な装置を構成することが可能となる。
【００２１】
次に、図４を用いて、複数の映像信号を伝送する場合に、映像送信装置１００が映像受信装置３００に伝送フォーマットを伝える方法の一例について説明する。図４は、ＨＤＭＩ規格において定義されるＧＣＰ（General Control Packet）の構成図である。元来ＨＤＭＩ規格では、図４のハッチング部を全て「０」で埋めるよう定義されている。このフィールドを用いて伝送フォーマットを通知する。
【００２２】
Ｍｕｌｔｉ＿Ｃｈａｎｎｅｌ＿Ｓｔａｔｕｓは、ＴＭＤＳデータの１フレーム内に複数の映像信号を伝送するか否かを通知する。Ｍｕｌｔｉ＿Ｃｈａｎｎｅｌ＿Ｓｔａｔｕｓが「１」であれば複数の映像信号を含むことを意味し、「０」であれば１つの映像信号のみ伝送することを意味する。Ｃｈａｎｎｅｌ＿Ｎｕｍｂｅｒは、複数の映像信号を含む場合に、含まれている映像信号の数を示す。Ｆｒａｍｅ＿Ｆｒｅｑは、ＴＭＤＳデータの伝送レートを示す（図４中のＦｒａｍｅ＿Ｆｒｅｑの説明欄に記載する表には、ＴＭＤＳ変換前の伝送周波数で記載）。Ｖｉｄｅｏ＿Ｆｒｅｑは、伝送する元ビデオデータの伝送周波数を示す。図２で説明した例では、Ｆｒａｍｅ＿Ｆｒｅｑ＝０、Ｖｉｄｅｏ＿Ｆｒｅｑ＝１となる。また、Ｃｈａｎｎｅｌ＿Ｎｕｍｂｅｒ、Ｆｒａｍｅ＿Ｆｒｅｑ及びＶｉｄｅｏ＿Ｆｒｅｑのフィールドは、Ｍｕｌｔｉ＿Ｃｈａｎｎｅｌ＿Ｓｔａｔｕｓ＝１の場合にのみ有効となるフィールドである。
【００２３】
なお、図４で説明した通知方法は一例に過ぎず、他の方法でも通知できることは言うまでもない。
【００２４】
以上のように、ＴＭＤＳ混合回路１１０、ＴＭＤＳ分離回路３１０を設け、伝送する映像信号の伝送レートより高い伝送レートを用いて、複数の映像信号の各々の１フレーム分のデータを、ＴＭＤＳデータの１フレームとして構成して伝送することにより、複数の映像信号を同時伝送することができる。
【産業上の利用可能性】
【００２５】
以上説明してきたとおり、本発明に係る映像伝送装置は、映像送信装置から複数チャンネルの映像信号を同時に映像受信装置へ伝送することを安価に実現できる非常に有用な装置である。
【図面の簡単な説明】
【００２６】
【図１】本発明に係る映像伝送装置の構成例を示すブロック図である。
【図２】本発明における２チャンネル映像信号の伝送フォーマット例（１０８０ｉ／６０Ｈｚ）を示す図である。
【図３】図１中のＴＭＤＳ混合／分離回路の構成例を示すブロック図である。
【図４】複数チャンネル伝送通知パケットのフォーマット例を示す図である。
【符号の説明】
【００２７】
１００  映像送信装置
１０１  ＴＶチューナ
１０２  ＴＶ信号処理ＬＳＩ
１０３  ディスク信号処理ＬＳＩ
１０４  ディスク再生装置
１０５  ＨＤＭＩ送信ＬＳＩ
１０６  ＴＭＤＳ変換回路
１０８  ＴＭＤＳ変換回路
１１０  ＴＭＤＳ混合回路
１１１  タイプＡのＨＤＭＩコネクタ
１２０  フレームメモリ
１２１  フレームメモリ
１２２  ＴＭＤＳ出力ブロック
２０１  タイプＡのＨＤＭＩケーブル
３００  映像受信装置
３０１  表示パネル
３０２  映像信号処理ＬＳＩ
３０３  ＨＤＭＩ受信ＬＳＩ
３０４  ＴＭＤＳ変換回路
３０６  ＴＭＤＳ変換回路
３１０  ＴＭＤＳ分離回路
３１１  タイプＡのＨＤＭＩコネクタ
３２０  フレームメモリ
３２１  フレームメモリ
３２２  ＴＭＤＳ入力ブロック
４００  ブランキング信号
４０１  映像信号
５００  ブランキング信号
５０１  映像信号
【図１】
2009100412.tif 000003
【図２】
2009100412.tif 000004
【図３】
2009100412.tif 000005
【図４】
2009100412.tif 000006
【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
ベースバンド伝送を行うデジタルインターフェースを備えた映像伝送装置であって、
送信する映像信号処理ごとにＴＭＤＳ変換回路と、それぞれの前記ＴＭＤＳ変換回路から出力されるＴＭＤＳ信号を時間多重するＴＭＤＳ混合回路とを備えた映像送信装置と、
前記ＴＭＤＳ混合回路によって複数のＴＭＤＳ信号が時間多重されたＴＭＤＳ信号を分離するＴＭＤＳ分離回路と、分離されたＴＭＤＳ信号をそれぞれ映像信号に変換するＴＭＤＳ変換回路とを備えた映像受信装置とを有し、
伝送する映像信号の解像度より高い解像度のピクセルクロック周波数を活用して、複数の映像信号を伝送することを特徴とする映像伝送装置。
【請求項２】
請求項１記載の映像伝送装置において、
前記ＴＭＤＳ混合回路は、複数映像のＴＭＤＳ信号をフレーム単位で時間多重し、前記映像信号の解像度より高い解像度の１フレームとして構成することを特徴とする映像伝送装置。
【請求項３】
請求項１記載の映像伝送装置において、
前記ＴＭＤＳ混合回路は、複数映像のＴＭＤＳ信号をライン単位で時間多重し、前記映像信号の解像度より高い解像度の１フレームとして構成することを特徴とする映像伝送装置。
【請求項４】
請求項２記載の映像伝送装置において、
前記ＴＭＤＳ分離回路は、前記ＴＭＤＳ混合回路によって複数のＴＭＤＳ信号が時間多重されたＴＭＤＳ信号からフレームの先頭情報を検出し、多重された各ＴＭＤＳ信号をフレーム単位で分離することを特徴とする映像伝送装置。
【請求項５】
請求項３記載の映像伝送装置において、
前記ＴＭＤＳ分離回路は、前記ＴＭＤＳ混合回路によって複数のＴＭＤＳ信号が時間多重されたＴＭＤＳ信号からフレームの先頭情報を検出し、多重された各ＴＭＤＳ信号をライン単位で分離することを特徴とする映像伝送装置。
【請求項６】
請求項１記載の映像伝送装置において、
ブランキング期間中に伝送する規定されたパケットの拡張予約領域を用いて、多重された映像信号の数、多重された映像信号の解像度情報を通知することを特徴とする映像伝送装置。
【請求項７】
請求項６記載の映像伝送装置において、
前記解像度情報は、ピクセルクロック周波数であることを特徴とする映像伝送装置。
【請求項８】
請求項１記載の映像伝送装置において、
前記デジタルインターフェースは、ＨＤＭＩ規格に準拠していることを特徴とする映像伝送装置。
【請求項９】
ベースバンド伝送を行うデジタルインターフェースに接続された映像送信装置であって、
送信する映像信号処理ごとにＴＭＤＳ変換回路と、
それぞれの前記ＴＭＤＳ変換回路から出力されるＴＭＤＳ信号を時間多重するＴＭＤＳ混合回路とを有し、
それぞれの前記ＴＭＤＳ変換回路に入力された映像信号の解像度より高い解像度のピクセルクロック周波数を活用して、複数の映像信号を送信することを特徴とする映像送信装置。
【請求項１０】
請求項９記載の映像送信装置において、
前記ＴＭＤＳ混合回路は、複数映像のＴＭＤＳ信号をフレーム単位で時間多重し、前記映像信号の解像度より高い解像度の１フレームとして構成することを特徴とする映像送信装置。
【請求項１１】
請求項９記載の映像送信装置において、
前記ＴＭＤＳ混合回路は、複数映像のＴＭＤＳ信号をライン単位で時間多重し、前記映像信号の解像度より高い解像度の１フレームとして構成することを特徴とする映像送信装置。
【請求項１２】
請求項９記載の映像送信装置において、
ブランキング期間中に送信する規定されたパケットの拡張予約領域を用いて、多重された映像信号の数、多重された映像信号の解像度情報を通知することを特徴とする映像送信装置。
【請求項１３】
請求項１２記載の映像送信装置において、
前記解像度情報は、ピクセルクロック周波数であることを特徴とする映像送信装置。
【請求項１４】
請求項９記載の映像送信装置において、
前記デジタルインターフェースは、ＨＤＭＩ規格に準拠していることを特徴とする映像送信装置。
【請求項１５】
ベースバンド伝送を行うデジタルインターフェースに接続された映像受信装置であって、
複数のＴＭＤＳ信号が時間多重されたＴＭＤＳ信号を分離するＴＭＤＳ分離回路と、
分離されたＴＭＤＳ信号をそれぞれ映像信号に変換するＴＭＤＳ変換回路とを有し、
それぞれの前記ＴＭＤＳ変換回路が出力する映像信号の解像度より高い解像度のピクセルクロック周波数を活用した複数の映像信号を受信することを特徴とする映像受信装置。
【請求項１６】
請求項１５記載の映像受信装置において、
前記ＴＭＤＳ分離回路は、複数のＴＭＤＳ信号が時間多重されたＴＭＤＳ信号からフレームの先頭情報を検出し、多重された各ＴＭＤＳ信号をフレーム単位で分離することを特徴とする映像受信装置。
【請求項１７】
請求項１６記載の映像受信装置において、
前記ＴＭＤＳ分離回路は、複数のＴＭＤＳ信号が時間多重されたＴＭＤＳ信号からフレームの先頭情報を検出し、多重された各ＴＭＤＳ信号をライン単位で分離することを特徴とする映像受信装置。
【請求項１８】
請求項１５記載の映像受信装置において、
前記デジタルインターフェースは、ＨＤＭＩ規格に準拠していることを特徴とする映像受信装置。